(57)【要約】【課題】毛部材の先端部がエアフィルタ表面に食い込むブラシとエアフィルタとの相対移動を円滑に行わせるようにしたエアフィルタ装置又はこのエアフィルタ装置を用いた電子機器を提供すること。【解決手段】本発明に係るエアフィルタ装置２０は、機内に取り込む空気中の塵埃を捕捉するためのエアフィルタ２３と、エアフィルタ２３に捕捉された塵埃を除去するための細長のブラシ、例えば回転ブラシ３１とを備える。また、このブラシをエアフィルタ表面に食い込ませながらブラシの長さ方向とは直角の方向にブラシとエアフィルタ２３とを相対移動させることにより、エアフィルタ２３に付着した塵埃を除去するものである。このようなエアフィルタ装置２０において、ブラシとエアフィルタ２３との相対移動が停止されるときに、ブラシとエアフィルタ２３との食い込みを軽減又は解消する手段を備えている。【選択図】図６
2012128280.tif 000002
【特許請求の範囲】
【請求項１】
機内に取り込む空気中の塵埃を捕捉するためのエアフィルタと、エアフィルタに捕捉された塵埃を除去するためのブラシとを備え、このブラシの毛部材の先端部をエアフィルタ表面に食い込ませながらブラシの長さ方向とは直角の方向にブラシとエアフィルタとを相対移動させることによりエアフィルタに付着した塵埃を除去するようにしたエアフィルタ装置であって、
ブラシとエアフィルタとの相対移動が停止されるときにブラシのエアフィルタへの食い込みを軽減又は解消する手段を備えている
ことを特徴とするエアフィルタ装置。
【請求項２】
請求項１に記載のエアフィルタ装置において、
ブラシとエアフィルタとの相対移動は、予め設定された距離を少なくとも１回往復動する移動であって、この相対移動が停止されるとき、及び、反転されるときにブラシのエアフィルタへの食い込みを軽減又は解消する手段を備えている
ことを特徴とするエアフィルタ装置。
【請求項３】
請求項１又は２に記載のエアフィルタ装置であって、
ブラシは固定され、エアフィルタが移動するように構成されている
ことを特徴とするエアフィルタ装置。
【請求項４】
請求項１又は２に記載のエアフィルタ装置において、
ブラシは、回転ブラシであって、回転しながらエアフィルタ表面上を往復動するように構成され、
エアフィルタは固定されている
ことを特徴とするエアフィルタ装置。
【請求項５】
請求項１〜４の何れか１項に記載のエアフィルタ装置において、
ブラシのエアフィルタへの食い込みを軽減又は解消する手段は、ブラシとエアフィルタとの相対移動が停止又は反転される位置において、ブラシの長さ方向の全長又は一部分の毛部材の先端部がフィルタの枠部材、又は、フィルタ取付部材に接触する構成である
ことを特徴とするエアフィルタ装置。
【請求項６】
請求項１〜４の何れか１項に記載のエアフィルタ装置において、
ブラシのエアフィルタへの食い込みを軽減又は解消する手段は、ブラシとエアフィルタとの相対移動が停止又は反転される位置において、ブラシの長手方向と同一方向のエアフィルタの寸法を小さくした構成である
ことを特徴とするエアフィルタ装置。
【請求項７】
請求項１〜４の何れか１項に記載のエアフィルタ装置において、
ブラシのエアフィルタへの食い込みを軽減又は解消する手段は、ブラシとエアフィルタとの相対移動が停止又は反転される位置において、エアフィルタ表面と直交する方向におけるブラシとエアフィルタ表面との相互間距離を大きくする構成である
ことを特徴とするエアフィルタ装置。
【請求項８】
請求項４に記載のエアフィルタ装置において、
ブラシのエアフィルタへの食い込みを軽減又は解消する手段は、ブラシとエアフィルタとの相対移動が停止される位置、ブラシとエアフィルタとの相対移動が反転される位置、又は、ブラシとエアフィルタとの相対移動が停止される位置及び反転される位置の双方の位置において、エアフィルタの表面と直交する方向から見てエアフィルタの外側となる空間部にブラシを位置させる構成である
ことを特徴とするエアフィルタ装置。
【請求項９】
請求項１〜８の何れか１項に記載のエアフィルタ装置を備えたことを特徴とする電子機器。
【発明の詳細な説明】
【技術分野】
【０００１】
本発明は、ブラシを用いてエアフィルタの塵埃を除去する除去装置を備えたエアフィルタ装置、及びこれを備えた電子機器に関する。
【背景技術】
【０００２】
従来パーソナルコンピュータ、投写型映像表示装置等の電子機器では、部品を冷却するために機外空気を吸入し、これを冷却空気として送風する方法が取られている。特に、投写型映像表示装置では、光源に用いられる光源ランプが高温になるため、この光源ランプを始め種々の光学系機器を冷却空気で冷却するようにしている。
【０００３】
また、このような電子機器では、吸入する機外空気中の塵埃を捕捉するためにエアフィルタが用いられている。しかし、エアフィルタは時間の経過とともに塵埃が捕捉されて蓄積されると、目詰まりし、吸入する空気量が減少し、冷却効果が低下する。このため、最近では、エアフィルタに付着した塵埃をブラシにより除去する除去装置を備えたエアフィルタ装置が開発されている。
【０００４】
特許文献１は、そのようなエアフィルタ装置を用いた投写型映像表示装置の一例であって、吸気口には塵埃を取り除くエアフィルタと、このエアフィルタ上を往復動させることによりエアフィルタに付着した塵埃を除去する回転ブラシとが設けられている。
【０００５】
また、特許文献２は、他の例であって、ユニット化されたエアフィルタ装置が機外空気の取り入れ口に設けられた投写型映像表示装置である。このエアフィルタ装置においては、プレフィルタを吸込み口に面した平面上で横方向に平面的に往復移動させるとともに、固定ブラシとエアフィルタとの間に摩擦を発生させて、エアフィルタに付着した塵埃を掻き取るようにしたものである。
【先行技術文献】
【特許文献】
【０００６】
【特許文献１】特開２００７−１５６１８６号公報
【特許文献２】特開２００８−６５０２１号公報
【発明の概要】
【発明が解決しようとする課題】
【０００７】
しかしながら、特許文献１のものでは、回転ブラシがエアフィルタ表面に食い込んだ状態で停止した場合は、その後の回転ブラシの駆動時において、回転ブラシとエアフィルタとの間の摩擦力が大きくなるという問題がある。また、回転ブラシを待機位置から反対側の端部にまで移動させた後、元の位置へ戻すために回転ブラシを反転させる場合であって、回転ブラシがエアフィルタ表面に食い込んだ状態で反転する場合には、回転ブラシとエアフィルタとの間の摩擦力が大きくなるという問題がある。しかしながら、この特許文献１には回転ブラシがエアフィルタ表面に食い込んだ状態で停止したり反転したりしないようにする何らの対策も施されていない。したがって、特許文献１においては、回転ブラシの移動が円滑に行われ難いという問題を提起するおそれがあり、改善の余地があった。
【０００８】
一方、特許文献２においても特許文献１の場合と同様の問題がある。すなわち、固定ブラシの毛部材の先端部がプレフィルタ表面に食い込んだ状態で停止している場合には、その後のプレフィルタ移動開始時に固定ブラシとプレフィルタとの間の摩擦力が大きくなるという問題がある。また、プレフィルタの移動方向を反転するときに、固定ブラシの毛部材の先端部がプレフィルタ表面に食い込んでいる場合には、固定ブラシとプレフィルタとの間の摩擦力が大きくなるという問題がある。しかしながら、特許文献２においてもこのような問題点については何らの対策も施されていない。したがって、特許文献２においても、プレフィルタの移動が円滑に行われ難いという問題を提起するおそれがあり、改善の余地があった。
【０００９】
本発明は、従来技術におけるこのような課題に鑑み成されたものであって、毛部材の先端部がエアフィルタ表面に食い込むブラシとエアフィルタとの相対移動を円滑に行わせるようにしたエアフィルタ装置又はこのエアフィルタ装置を用いた電子機器を提供すること。
【課題を解決するための手段】
【００１０】
請求項１に記載の発明は、機内に取り込む空気中の塵埃を捕捉するためのエアフィルタと、エアフィルタに捕捉された塵埃を除去するためのブラシとを備え、このブラシの毛部材の先端部をエアフィルタ表面に食い込ませながらブラシの長さ方向とは直角の方向にブラシとエアフィルタとを相対移動させることによりエアフィルタに付着した塵埃を除去するようにしたエアフィルタ装置であって、ブラシとエアフィルタとの相対移動が停止されるときにブラシのエアフィルタへの食い込みを軽減又は解消する手段を備えていることを要旨とする。ここにおいて、ブラシのエアフィルタへの食い込みとは、ブラシの毛部材の先端部がエアフィルタの濾過材に食い込むことをいい、食い込むとは、毛部材の先端部が濾過材の孔部に入り込む状態をいう。
【００１１】
上記構成によれば、ブラシとエアフィルタとの相対移動が停止されるときに、ブラシのエアフィルタへの食い込みを軽減又は解消するように構成されているので、停止状態から再移動するときにブラシとエアフィルタとの間に発生する摩擦抵抗が減少又は解消されるとともに、ブラシとエアフィルタの相対移動が円滑に行われる。したがって、動作の安定性、信頼性及び経済性に優れたエアフィルタ装置を提供することができる。
【００１２】
請求項２に記載の発明は、請求項１に記載のエアフィルタ装置において、ブラシとエアフィルタとの相対移動は、予め設定された距離を少なくとも１回往復動する移動であって、この相対移動が停止されるとき、及び、反転されるときにブラシのエアフィルタへの食い込みを軽減又は解消する手段を備えていることを要旨とする。
【００１３】
上記構成によれば、ブラシとエアフィルタとの相対移動が停止されるとき、及び、反転されるときにブラシのエアフィルタへの食い込みを軽減又は解消するように構成されているので、停止状態から再移動するとき、及び、ブラシとエアフィルタとの相対移動が反転されるときの摩擦抵抗が減少又は解消され、ブラシとエアフィルタの相対移動が円滑に行われる。これにより、動作の安定性、信頼性及び経済性に優れたエアフィルタ装置を提供することができる。また、ブラシとエアフィルタの相対移動を行うための駆動モータの出力を小さくすることができ、エアフィルタの掃除ユニットの駆動部を小型化することができる。
【００１４】
請求項３に記載の発明は、請求項１又は２に記載のエアフィルタ装置において、ブラシは固定され、エアフィルタが移動するように構成されていることを要旨とする。
上記構成によれば、請求項１の発明と同様の作用効果を奏することができる。
【００１５】
請求項４に記載の発明は、請求項１又は２に記載のエアフィルタ装置において、ブラシは、回転ブラシであって、回転しながらエアフィルタ表面上を往復動するように構成され、エアフィルタは固定されていることを要旨とする。
【００１６】
上記構成によれば、エアフィルタを平面上で移動させる必要がないので、エアフィルタの所要スペースを小型化することができる。また、ブラシを回転ブラシとしているので、エアフィルタに付着している塵埃を効率よく除去することができる。
【００１７】
請求項５に記載の発明は、請求項１〜４の何れか１項に記載のエアフィルタ装置において、ブラシのエアフィルタへの食い込みを軽減又は解消する手段は、ブラシとエアフィルタとの相対移動が停止又は反転される位置において、ブラシの長さ方向の全長又は一部分の毛部材の先端部がエアフィルタの枠部材、又は、フィルタ取付部材に接触する構成であることを要旨とする。ここで、フィルタの枠部材とは、フィルタの外周を構成する外周枠の他、この外周枠内の面積を複数に分割する分割枠を包含するものとする。
【００１８】
上記構成によれば、ブラシとエアフィルタとの相対移動が停止又は反転されるときに、エアフィルタの濾過材に食い込むブラシの毛部材の数が減少するので、ブラシとエアフィルタとの間に発生する摩擦抵抗を小さくすることができる。
【００１９】
請求項６に記載の発明は、請求項１〜４の何れか１項に記載のエアフィルタ装置において、ブラシのエアフィルタへの食い込みを軽減又は解消する手段は、ブラシとエアフィルタとの相対移動が停止又は反転される位置において、ブラシの長手方向と同一方向のエアフィルタの寸法を小さくした構成であることを要旨とする。
【００２０】
上記構成によれば、ブラシとエアフィルタとの相対移動が停止又は反転されるときに、エアフィルタの濾過材に食い込むブラシの毛部材の本数が減少するので、ブラシとエアフィルタとの間に発生する摩擦抵抗を小さくすることができる。
【００２１】
請求項７に記載の発明は、請求項１〜４の何れか１項に記載のエアフィルタ装置において、ブラシのエアフィルタへの食い込みを軽減又は解消する手段は、ブラシとエアフィルタとの相対移動が停止又は反転される位置において、エアフィルタ表面と直交する方向におけるブラシとエアフィルタ表面との相互間距離を大きくする構成であることを要旨とする。
【００２２】
上記構成によれば、ブラシとエアフィルタとの相対移動が停止又は反転されるときに、ブラシとエアフィルタ表面との相互間距離が大きくなるので、エアフィルタの濾過材に食い込むブラシの毛部材の食い込み寸法や食い込む毛部材の本数を少なくするか、毛部材の食い込みを解消することができる。したがって、ブラシとエアフィルタとの間に発生する摩擦抵抗を小さくするか又は解消させることができる。
【００２３】
請求項８に記載の発明は、請求項１〜４の何れか１項に記載のエアフィルタ装置において、ブラシのエアフィルタへの食い込みを軽減又は解消する手段は、ブラシとエアフィルタとの相対移動が停止される位置、ブラシとエアフィルタとの相対移動が反転される位置、又は、ブラシとエアフィルタとの相対移動が停止される位置及び反転される位置の双方の位置において、エアフィルタの表面と直交する方向から見てエアフィルタの外側となる空間部にブラシを位置させる構成であることを要旨とする。
【００２４】
上記構成によれば、ブラシとエアフィルタとの相対移動が停止又は反転されるときに、ブラシがエアフィルタの外側となる空間部に配置されることにより、ブラシのエアフィルタの濾過材への食い込みが解消されるので、回転ブラシの停止時又は反転時における回転ブラシの駆動負荷を著しく小さくすることができる。
【００２５】
また、請求項９に記載の発明に係る電子機器は、請求項１〜８の何れか１項に記載のエアフィルタ装置を備えたことを要旨とする。
したがって、このような電子機器は、エアフィルタの自動掃除運転時におけるブラシとエアフィルタ装置２０の自動掃除運転の動作が安定し、信頼性の高い掃除運転を行うことができる。
【発明の効果】
【００２６】
本発明に係るエアフィルタ装置によれば、ブラシとエアフィルタとの相対移動が停止されるときに、ブラシのエアフィルタへの食い込みを軽減又は解消するように構成されているので、停止状態から再移動するときにブラシとエアフィルタとの間に発生する摩擦抵抗が低減又は解消され、ブラシとエアフィルタの相対移動が円滑に行われる。また、このエアフィルタ装置を用いた電子機器によれば、エアフィルタ装置の自動掃除運転の動作が安定し、信頼性の高い掃除運転を行うことができる。
【図面の簡単な説明】
【００２７】
【図１】実施の形態１に係る投写型映像表示装置の下方から見た斜視図。
【図２】同投写型映像表示装置から取り出された状態のエアフィルタ装置の斜視図。
【図３】同投写型映像表示装置のエアフィルタ装置の底面図。
【図４】同投写型映像表示装置の概略全体構成を示す機能ブロック図。
【図５】同投写型映像表示装置のエアフィルタ装置の断面図であって、（ａ）は待機時の断面図、（ｂ）は反転時の断面図。
【図６】同投写型映像表示装置のエアフィルタ装置における回転ブラシとエアフィルタとの食い込み状態説明図であって、（ａ）は掃除運転時の状態説明図、（ｂ）は反転時の状態説明図、（ｃ）は反転時の参考状態図。
【図７】実施の形態２に係る投写型映像表示装置のエアフィルタ装置の断面図であって、（ａ）は掃除運転時の断面図、（ｂ）は反転時の断面図。
【図８】実施の形態３に係る投写型映像表示装置のエアフィルタ装置におけるラックとピニオンの噛み合い状態を示す図であって、（ａ）は掃除運転時の状態を示す図、（ｂ）はラックとピニオンの噛み合い状態を示す側面図、（ｃ）は反転時の状態を示す図。
【図９】実施の形態４に係る投写型映像表示装置のエアフィルタ装置の底面図。
【図１０】実施の形態５に係る投写型映像表示装置エアフィルタ装置の説明図。
【図１１】実施の形態６に係る投写型映像表示装置エアフィルタ装置における模式構造図であって、（ａ）は待機時の構造図、（ｂ）は掃除運転時の構造図、（ｃ）は待機位置への戻り時の構造図。
【図１２】変形例における回転ブラシの動作説明図であり、（ａ）は掃除運転が途中で停止された場合における回転ブラシの動作説明図、（ｂ）は掃除運転が再開されるときに停止前の掃除運転が継続される場合の回転ブラシの動作説明図、（ｃ）は掃除運転が再開されるときに停止前の掃除運転がやり直しされる場合の回転ブラシの動作説明図。
【発明を実施するための形態】
【００２８】
（実施の形態１）
以下、本発明の実施の形態１に係る投写型映像表示装置について図１〜図６を参照しながら説明する。
【００２９】
本実施の形態に係る投写型映像表示装置は、３板式液晶投写型映像表示装置であって、図１の外観斜視図に示すような箱型の筐体１０を備えている。なお、以下の説明において、投写型映像表示装置が投写レンズ１１から映像光を投射する方向を前後方向における前方とする。また、投写型映像表示装置を水平面上に載置するように設置したときに、水平面に平行な方向であって前後方向に直交する方向を左右方向とする。なお、これらの前後方向、左右方向及び上下方向は、各図中に矢印を用いて示す。
【００３０】
筐体１０は、投写型映像表示装置を水平面上に設置したときに、その水平面と対向する底面１２を有している。底面１２には、筐体１０の内部に収納した光源、光学部品等の機器を冷却するための冷却空気としての機外空気を取り入れるための吸気口１３が設けられている。また、この吸気口１３には、図１に示すように、機内に取り入れられる機外空気中の塵埃を除去するためのエアフィルタ装置２０が取り付けられている。
【００３１】
そこで、先ず本実施の形態に係る投写型映像表示装置に用いられているエアフィルタ装置２０について説明する。
エアフィルタ装置２０は、筐体１０の底部に取り付けられており、筐体１０の前方からスライド式に着脱可能に構成されている。筐体１０から引き出された状態のエアフィルタ装置２０は、図３に示されるようなものであって、Ｌ字状の取っ手２１の内部側に基材２２が設けられている。基材２２は、樹脂材料からなり、吸気口１３と同様な長方形状の開口が形成されている。また、基材２２には、この開口を覆うように、塵埃を捕捉するエアフィルタ２３が設けられている。また、取り入れられる機外空気中の塵埃を捕捉する手段として、図５の断面図に示すように、エアフィルタ２３の上方に、すなわち開口の上方に２次フィルタ２３ａ及び３次フィルタ２３ｂが取り付けられている。したがって、エアフィルタ２３はこれらフィルタとの関係においてプレフィルタとして機能する。なお、この本発明のエアフィルタ装置における掃除機能は、上記２次フィルタ２３ａや３次フィルタ２３ｂに関係するものではなく、プレフィルタとして機能するエアフィルタ２３に関係する。
【００３２】
エアフィルタ２３は、図２及び図３に示すように、長方形の輪郭を形成する平板状の外周枠２４と、この外周枠２４内の面積を複数に分割する平板状の分割枠２５と、分割枠２５内に形成されている濾過材２６とからなる。この外周枠２４及び分割枠２５は一体成形により形成されている。また、濾過材２６は、これら外周枠２４及び分割枠２５に対し接着または融着されて形成されている。また、これら外周枠２４、分割枠２５及び濾過材２６の厚みは、略一定に形成されており、エアフィルタ２３の表面が略平坦に形成されている。ここで、本発明にいうフィルタの枠部材とは、上記のようにフィルタ（この場合はエアフィルタ２３）の外周を構成する外周枠２４の他、この外周枠２４内の面積を複数に分割する分割枠２５を包含する概念である。
【００３３】
また、外周枠２４のうちの左方の外周枠は、この外周枠２４上で後述する回転ブラシ３１の移動方向を反転させるために幅広く形成されている。このように回転ブラシ３１の移動方向を反転させるために左方の外周枠２４を幅広くする構成は、本発明における「ブラシのエアフィルタへの食い込みを軽減又は解消する手段」の一実施形態を構成する。
【００３４】
次に、基材２２には、エアフィルタ２３の前後に一対のラック２２ａがねじ止めにより固定されて設けられている。
基材２２の前側端部には、エアフィルタ装置２０が筐体１０に取り付けられたときに、投写型映像表示装置の本体側と電気的に接続するためのコネクタ２７が設けられている。このコネクタ２７により本体側と接続されることにより、投写型映像表示装置からエアフィルタ装置２０に電力を供給することが可能となる。
【００３５】
また、エアフィルタ装置２０は、図３及び図４に示すように、エアフィルタ２３の右側の空間部（図５参照）にエアフィルタ２３を掃除する掃除ユニット３０を備えている。
掃除ユニット３０は、略直方体状であって、内部にエアフィルタ２３の表面に食い込みながら、エアフィルタ２３に付着した塵埃を除去する回転ブラシ３１を回転可能に支持している。エアフィルタ２３に付着している塵埃を除去するときに掃除ユニット３０が移動することにより、内部に固定されている回転ブラシ３１が掃除ユニット３０の一部としてエアフィルタ２３の表面に圧接されつつ回転しながら（回転ブラシ３１の毛部材の先端部をエアフィルタ２３の表面に食い込ませながら）左右方向に移動する。回転ブラシ３１は、図５に示すように掃除運転時には、先ず図示反時計方向に強制的に回転されながら図示右側位置から左側端部に向けて移動する（図５（ａ）参照）。そして、エアフィルタ２３の左端まで来ると、回転ブラシ３１の回転方向及び移動方向が反転されて右側位置に戻るように構成されている（図５（ｂ）参照）。このように回転ブラシ３１がエアフィルタ２３の表面を回転しながら左右方向に１往復移動することによりエアフィルタ２３に付着している塵埃が除去される。
【００３６】
この右側位置は、エアフィルタ２３が掃除運転をしないときに移動せずに待機している待機位置である。この待機位置は、エアフィルタ表面と直交する方向から見て、待機中の掃除ユニット３０がエアフィルタ２３と重ならないように設定されている。この状態においては、回転ブラシ３１を内蔵する掃除ユニット３０は、図５（ａ）に示すように、空間部２８に位置し、エアフィルタ２３に触れない状態にある。このように、掃除ユニット３０が待機位置に停止するときに、エアフィルタ表面と直交する方向から見てエアフィルタ２３の外側となる空間部２８に回転ブラシ３１を位置させる構成は、本発明における「ブラシのエアフィルタへの食い込みを軽減又は解消する手段」の一実施形態を構成する。
【００３７】
掃除ユニット３０は、図２、図３、図５等に示すような構造に構成されている。すなわち、掃除ユニット３０は、前後方向に長い形状を有するケース３２と、駆動部であるモータ３３と、モータ３３により駆動される駆動軸３４と、ラック３５とを備えている。また、ラック３５と噛み合いながら駆動軸３４とともに回転するピニオン３６と、駆動軸３４の回転が伝達される回転ブラシ３１と、駆動軸３４の回転を回転ブラシ３１に伝達する歯車機構３４ａと、塵埃を溜めるダストボックス３７とを備えている。このうち、モータ３３、駆動軸３４、及び回転ブラシ３１は、ケース３２内に収納されている。
【００３８】
モータ３３は、回転ブラシ３１を回転させるとともに、回転ブラシ３１を内蔵したケース３２を所定の方向（この場合左右方向）に移動させるための電動モータであって、図３に示すように、駆動軸３４を介してピニオン３６及び回転ブラシ３１に回転力を伝達している。
【００３９】
駆動軸３４は、エアフィルタ２３を前後に跨ぐように延びる軸体であって、ケース３２により回転可能に支持されている。そして、駆動軸３４の前後両端部にはそれぞれピニオン３６が固定されている。
【００４０】
ピニオン３６は、図３に示すように、それぞれケース３２の外側において、水平に配置されたラック３５に噛み合っている。従って、駆動軸３４を回転させることにより歯車機構３４ａを介し回転ブラシ３１に動力が伝達され、図５（ａ）に示すように回転ブラシ３１が内部に回転可能に構成されたケース３２を左右方向に水平に移動させることができる。また、このケース３２を左右方向へ移動させるときには、回転ブラシ３１をエアフィルタ２３に圧接させながら回転させてエアフィルタ２３に付着した塵埃を除去するように構成されている。
【００４１】
回転ブラシ３１は、軸体である軸部材３１ａと、軸部材３１ａの外周に設けられた毛部材３１ｂとにより構成されている。回転ブラシ３１の前後方向における両端部において、軸部材３１ａがケース３２に支持されることによって、回転ブラシ３１はケース３２により回転可能に支持されている。回転ブラシ３１の毛部材３１ｂは、エアフィルタ２３に対して回転ブラシ３１が移動するときに、エアフィルタ２３の濾過材２６に食い込むように設けられている。回転ブラシ３１の毛部材３１ｂの先端が濾過材２６に食い込みながらエアフィルタ２３の表面を移動することにより、エアフィルタ２３の濾過材２６が掃除される。さらに、回転ブラシ３１の毛部材３１ｂに付着した塵埃は、ダストボックス３７内に設けられた塵埃除去板３７ａにより鋤き落とされて、ダストボックス３７内に溜められるように構成されている（図５参照）。
【００４２】
また、エアフィルタ装置２０の基材２２の左右には待機位置センサ３８ａ及び反転位置センサ３８ｂが設けられている。待機位置センサ３８ａは、掃除ユニット３０が所定の待機位置に到達したことを検出するスイッチであり、反転位置センサ３８ｂは、掃除ユニット３０が所定の反転位置（折り返す位置）に到達したことを検出するスイッチである。待機位置センサ３８ａ及び反転位置センサ３８ｂはコネクタ２７に接続され、回転ブラシ３１を含む掃除ユニット３０の位置を示す信号がコネクタ２７から出力されるように構成されている。
【００４３】
次に、このように構成されたエアフィルタ装置２０を備えた投写型映像表示装置全体の概略構成を、図４の機能ブロック図に基づき説明する。
この投写型映像表示装置は、映像を生成するための要素として、映像信号入力部４１、映像信号処理部４２、液晶パネル駆動部４３、液晶パネル４４、光源ランプ４５、ランプ電源部４６を備えている。
【００４４】
映像信号入力部４１には各種映像再生機器からの映像信号が入力される。映像信号入力部４１に入力された映像信号は、Ａ／Ｄ変換、デコード等の適宜の処理が施されてデジタル信号に変換されて映像信号処理部４２へ出力される。
【００４５】
映像信号処理部４２は、入力された映像信号に対しスケーリング処理、ガンマ補正、輝度補正などの一般的な映像処理を行う。このような処理が行われた映像信号は、液晶パネル駆動部４３へ出力される。
【００４６】
液晶パネル駆動部４３は、映像信号処理部４２から入力された映像信号を、緑色光用、赤色光用及び青色光用の各液晶セルを駆動することができる信号形態に変換する。また、この液晶パネル駆動部４３においては、緑色光用、赤色光用及び青色光用の各液晶セルを駆動するための駆動パルスが同時に生成される。
【００４７】
液晶パネル４４は、緑色光用、赤色光用及び青色光用の各液晶セルからなる。また、各液晶セルは、入力された映像信号に応じた回転角を持ち、分離光学系からの光を透過させることにより映像を作り出す。その表示映像は、投写レンズ１１により所定距離離れた場所にあるスクリーンなどに結像される。
【００４８】
光源ランプ４５は、メタルハライドランプ、超高圧水銀ランプなどの放電型ランプを発光体とし、発光体からの照射光をリフレクタにより平行光として出射するものであって、使用中は高温となる。このため冷却を必要とする。光源ランプで生成された光は、光学系を介して液晶パネルに送られる。
【００４９】
ランプ電源部４６は、全体電源部５３から入力された直流の電圧を光源ランプ４５を駆動するのに適した波形の電圧に変換するものであって、光源ランプ４５の始動時あるいは定常動作時などに、それぞれに適した波形の電圧を出力する。
【００５０】
また、この投写型映像表示装置は、光学系機器の冷却システムに関連する吸気ファン４７、モータ駆動部４８、目詰まり検出部４９、記憶部５０を備えている。
吸気ファン４７は、光源ランプ４５、液晶パネル４４、ランプ電源部４６などの高温になる機器を冷却する冷却空気とし機外空気を取り入れ、この空気をこれら機器へ送風するためのファンである。なお、機外空気は、前述のエアフィルタ装置２０を介して取り入れられる。
【００５１】
モータ駆動部４８は、掃除ユニット３０のモータ３３を駆動制御するものである。エアフィルタ２３に捕捉された塵埃を掻き取るときは、モータ３３を駆動して、回転ブラシ３１を回転させながら掃除ユニット３０を図示左端の反転位置へ移動させる。そして、掃除ユニット３０が所定の反転位置まで移動すると、反転位置センサ３８ｂからの情報に基づき掃除ユニット３０を元の待機位置へ戻すようにモータ３３が駆動される。また、掃除ユニット３０が反転されて所定の待機位置の戻ったときは、待機位置センサ３８ａが作用し、モータ３３が停止され、掃除ユニット３０の移動が停止される。
【００５２】
目詰まり検出部４９は、エアフィルタ２３が目詰まりを生じた際に、目詰まり検出部４９を構成する風量センサの出力電圧が変化することに着目したもので、この出力電圧の変化を予め記憶部５０に記憶された電圧閾値と比較し、目詰まりであるかどうか判断するように構成されている。
【００５３】
記憶部５０は、ＲＯＭ型メモリ及び不揮発性ＲＡＭ型メモリにより構成されており、この投写型映像表示装置全体の制御プログラムが記憶されている他、エアフィルタ２３の目詰まり状態を判断するために必要な情報や、エアフィルタ装置２０を制御する掃除運転シーケンスのプログラムなどが記憶されている。エアフィルタ装置２０は、記憶部５０に記憶された記憶情報及びプログラムに従い制御部５１が作動して制御される。
【００５４】
また、この投写型映像表示装置は、装置全体の動作を行うための制御部５１、操作部５２及び全体電源部５３を備えている。
制御部５１は、各部との信号のやり取りを行い、投写型映像表示装置全体の動作が支障なく行われるように各部を制御する。そして、エアフィルタ装置２０を駆動するときは、待機位置センサ３８ａ及び反転位置センサ３８ｂからの情報を受け取りながらモータ駆動部４８に対し必要な制御信号を送信する。
【００５５】
操作部５２は、ユーザが機器を操作するために設けられたものであって、運転スイッチ、キー、リモコン、外部コンピュータなどのユーザが操作する部分が含まれる。操作部５２から入力された情報は、制御部５１で処理されて、制御部５１から各部へ操作内容が伝達されて実行される。
【００５６】
全体電源部５３は、外部電源からの交流電力を導き、内蔵するＡＣ／ＤＣ変換部にて変圧、整流及び平滑などの処理を施して安定化させた直流電圧として各部に供給するように構成されている。
【００５７】
［エアフィルタ装置の動作］
次に、上記のように構成されたエアフィルタ装置の動作について説明する。
投写型映像表示装置が運転されている間に、目詰まり検出部４９によりエアフィルタ２３が目詰まりしていると検出された場合は、エアフィルタ装置２０が自動掃除運転するように制御される。
【００５８】
自動掃除運転開始の指令が出されると、掃除ユニット３０のモータ３３が駆動される。これによりラック２２ａと噛み合うピニオン３６が駆動されて掃除ユニット３０が図５（ａ）の図示待機位置から左方に移動する。図示待機位置から左方に移動する掃除工程に入るまでの位置においては、回転ブラシ３１はエアフィルタ２３及び他のものにも接触していないので、回転ブラシ３１の起動時の回転負荷は極めて小さくなる。また、回転ブラシ３１は、掃除運転開始時においては図５（ａ）に図示するように回転しながら回転ブラシ３１の長さ方向とは直角の方向である左方向に移動するので、回転ブラシ３１の回転駆動が円滑に行われる。
【００５９】
次に、掃除運転開始後の動作を、図６に基づきさらに詳細に説明する。
掃除運転時においては、図６（ａ）に図示するように、先ず回転ブラシ３１の毛部材３１ｂの先端部がエアフィルタ２３の濾過材２６に食い込みながら回転ブラシ３１とエアフィルタ２３とが相対移動される。また、このとき、回転ブラシ３１は、掃除運転開始に伴い左方向に移動するときは、図６（ａ）に示すようにエアフィルタ２３との相対移動方向に立ち向かう方向、すなわち、図示反時計方向に回転しているので、エアフィルタ２３の濾過材２６に付着した塵埃が効率よく掻き取られる。なお、エアフィルタ２３から掻き取られた塵埃は、ダストボックス３７に設けられた塵埃除去板３７ａにより削ぎ落とされてダストボックス３７内に蓄積される。
【００６０】
このようにして、回転ブラシ３１が左端の所定の反転位置まで移動すると、反転位置センサ３８ｂが作動して、モータ３３が反転され、回転ブラシ３１を内蔵したケース３２が元の待機位置へ向かって移動するように反転しようとする。このとき、回転ブラシ３１は、図６（ｂ）に示されるように、エアフィルタ２３の外周枠２４上に位置しているので、毛部材３１ｂがエアフィルタ２３の濾過材２６の表面に食い込む状態ではなく、毛部材３１ｂの先端部が外周枠２４の表面に接触する状態となっている。ここで、エアフィルタ２３の濾過材２６の表面に食い込む状態とは、毛部材３１ｂの先端部が濾過材２６の孔部に入り込んでいる状態をいう。したがって、回転ブラシ３１とエアフィルタ２３との摩擦抵抗が小さくなって、この位置における反転移動が円滑に行われる。因みに、このような対策が施されずに、外周枠２４の幅寸法が小さい場合には、図６（ｃ）に示すように回転ブラシ３１の毛部材３１ｂの先端部が濾過材２６に食い込んだ状態のまま反転移動が行われることになるので、回転ブラシ３１とエアフィルタ２３との摩擦抵抗が大きくなり円滑な反転工程の動作が行われない恐れがある。
【００６１】
なお、この反転工程から待機位置への帰還工程においては、モータ３３が反転され、回転ブラシ３１が待機位置の方向、すなわち、右方向に移動する。また、回転ブラシ３１は、エアフィルタ２３との相対移動方向に立ち向かう方向、すなわち、図示時計方向に回転しているので、エアフィルタ２３の濾過材２６に付着した塵埃が効率よく掻き取られる。また、エアフィルタ２３から掻き取られた塵埃は、ダストボックス３７の入口に設けられた塵埃除去板３７ａにより削ぎ落とされてダストボックス３７内に蓄積される。このような工程により回転ブラシ３１が待機位置に戻ったときには、待機位置センサ３８ａが作動し、モータ３３が停止される。これによりエアフィルタ２３を掃除する掃除運転が終了する。なお、この待機位置においては、掃除ユニット３０がエアフィルタ２３の表面と直交する方向から見て外側となる空間部に停止される。したがって、掃除ユニット３０は、回転ブラシ３１とエアフィルタ２３との食い込みがない状態で停止される。
【００６２】
実施の形態１に係る投写型映像表示装置に用いられているエアフィルタ装置２０は以上のように構成されているので、以下のような効果を奏することができる。
（１）本実施の形態によれば、回転ブラシ３１とエアフィルタ２３との相対移動が停止されるときに、回転ブラシ３１とエアフィルタ２３との食い込みが解消されるように構成されている。このため、回転ブラシ３１を停止状態から再移動するときに回転ブラシ３１とエアフィルタ２３との間に発生する摩擦抵抗が解消され、回転ブラシ３１とエアフィルタ２３の相対移動が円滑に行われる。したがって、動作の安定性、信頼性及び経済性に優れたエアフィルタ装置２０を提供することができる。
【００６３】
（２）また、本実施の形態によれば、回転ブラシ３１とエアフィルタ２３との相対移動が停止されるとき、及び、反転されるときに、回転ブラシ３１とエアフィルタ２３との食い込みを軽減するように構成されている。したがって、停止状態から再移動するとき、及び、回転ブラシ３１とエアフィルタ２３との相対移動が反転されるときの摩擦抵抗が減少され、回転ブラシ３１とエアフィルタ２３の相対移動が円滑に行われる。これにより、動作の安定性、信頼性及び経済性に優れたエアフィルタ装置２０を提供することができる。また、回転ブラシ３１とエアフィルタ２３の相対移動を行うためのモータ３３の出力を小さくすることができ、エアフィルタ２３の掃除ユニット３０の駆動部を小型化することができる。
【００６４】
（３）また、本実施の形態によれば、エアフィルタ装置２０は、エアフィルタ２３が移動せずに回転ブラシ３１を移動するように構成しているので、エアフィルタ２３の所要スペースを小型化することができる。また、エアフィルタ２３に付着している塵埃を効率よく除去することができる。
【００６５】
（４）また、本実施の形態によれば、「ブラシのエアフィルタへの食い込みを軽減又は解消する手段」として、回転ブラシ３１とエアフィルタ２３との相対移動が反転される位置において、回転ブラシ３１の毛部材３１ｂの先端部がエアフィルタ２３の外周枠２４に接触するように構成されている。したがって、このような構成により、反転時にエアフィルタ２３の濾過材２６に食い込む毛部材３１ｂの本数が減少し、回転ブラシ３１とエアフィルタ２３との間に発生する摩擦抵抗を小さくすることができる。
【００６６】
（５）また、本実施の形態によれば、「ブラシのエアフィルタへの食い込みを軽減又は解消する手段」として、回転ブラシ３１とエアフィルタ２３との相対移動が停止される位置において、エアフィルタ２３の表面と直交する方向から見てエアフィルタ２３の外側となる空間部に回転ブラシ３１が位置されるように構成されている。したがって、回転ブラシ３１とエアフィルタ２３との相対移動が停止されるときに、回転ブラシ３１のエアフィルタ表面への食い込みが解消されるので、回転ブラシ３１とエアフィルタ２３との間に発生する摩擦抵抗が小さくなる。
【００６７】
また、実施の形態１に係る電子機器としての投写型映像表示装置は以上のように構成されているので、次の効果を奏することができる。
（６）本実施の形態によれば、電子機器は上記構成のエアフィルタ装置２０を備えているので、エアフィルタ装置２０の自動掃除運転の動作が安定し、信頼性の高い掃除運転を行うことができる。
【００６８】
（実施の形態２）
次に、実施の形態２に電子機器としての投写型映像表示装置について、図７に基づき説明する。なお、実施の形態１と同一の要素に関し、図面に記載されている部分には同一の符号を付す。また、実施の形態２として図面を示していない要素について、実施の形態１と同一の符号を使用して説明する場合は、この同一の符号を付したものは実施の形態１と同一とする。
【００６９】
実施の形態２は、実施の形態１において、ブラシとエアフィルタとの相対移動が反転されるときに、本発明の「ブラシのエアフィルタへの食い込みを軽減又は解消する手段」の構成を変更したものである。
【００７０】
この実施の形態においては、エアフィルタ２３の左端の反転位置において、回転ブラシ３１が、エアフィルタ２３や基材２２に触れないように、エアフィルタ２３を小さくすることにより、エアフィルタ表面と直交する方向から見てエアフィルタ２３の左外側に空間部２９が設けられている。このように、回転ブラシ３１の反転時に、エアフィルタ表面と直交する方向から見てエアフィルタ２３の左外側となる空間部２９に回転ブラシ３１を位置させる構成は、本発明における「ブラシのエアフィルタへの食い込みを軽減又は解消する手段」の一実施形態を構成する。
【００７１】
実施の形態２に係るエアフィルタ装置２０は、次のように動作する。
このエアフィルタ装置２０において、掃除運転中は図７（ａ）に示すように、掃除ユニット３０の回転ブラシ３１がエアフィルタ２３の濾過材２６に食い込みながら左方向に移動する。そして、エアフィルタ２３の左端位置に達して反転するときは、図７（ｂ）に示すように、掃除ユニット３０の側面が基材２２に近接する位置まで移動するため、エアフィルタ２３の左側の空間部２９に回転ブラシ３１を位置させた状態となる。したがって、この位置においては、回転ブラシ３１は、エアフィルタ２３や基材２２に接触していないので、反転時の負荷は非常に小さいものとなり、円滑に反転移動することができる。
【００７２】
実施の形態２に係るエアフィルタ装置２０は、以上のように構成されているので、実施の形態１における（１）〜（３）及び（５）の効果に加え、次の効果を奏することができる。なお、実施の形態２に係る電子機器は実施の形態１の場合と同様の効果を奏することができる。
【００７３】
（７）本実施の形態に係るエアフィルタ装置によれば、回転ブラシ３１とエアフィルタ２３との相対移動が反転される位置において、エアフィルタ表面と直交する方向から見てエアフィルタ２３の左外側に空間部２９が設けられ、この空間部２９に回転ブラシ３１を位置させている。したがって、回転ブラシ３１とエアフィルタ２３との相対移動が反転されるときに、回転ブラシ３１のエアフィルタ表面への食い込みが解消されるので、回転ブラシ３１の反転時の駆動負荷が著しく軽減される。
【００７４】
（実施の形態３）
次に、実施の形態３に係る電子機器としての投写型映像表示装置について、図８に基づき説明する。なお、実施の形態１と同一の要素に関し、図面に記載されている部分には同一の符号を付す。また、実施の形態３として図面を示していない要素について、実施の形態１と同一の符号を使用して説明する場合は、この同一の符号を付したものは実施の形態１と同一とする。
【００７５】
実施の形態３は、本発明の実施の形態１において「ブラシとエアフィルタの相対移動が反転されるときに、ブラシのエアフィルタへの食い込みを軽減又は解消する手段」の構成を変更したものである。すなわち、実施の形態３は、エアフィルタ２３の左端の反転位置において、エアフィルタ表面と直角方向における回転ブラシ３１とエアフィルタ表面との相互間距離を大きくしている。
【００７６】
これを具体的に説明するために、先ず、掃除ユニット３０の左右方向の移動機構を説明する。この移動機構は基本的に実施の形態１と同一のものである。
図８（ａ）及び図８（ｂ）に示すように、モータ３３の回転力が駆動軸３４を介して前後のピニオン３６に伝達され、これによりピニオン３６がラック２２ａに噛み合うことによりケース３２が左右方向に移動するように構成されている。この点は、実施の形態１に関し図３に基づき説明したところである。なお、実施の形態１の説明においては省略したが、この移動においてケース３２が上下方向に移動しないようにするために、この実施の形態においては、ケース３２から突出する円柱状の突起部３２ａがラック２２ａの側面に設けられた溝２２ｂ内を摺動するように構成されている。
【００７７】
しかし、この実施の形態においては部分的に次のように変更されている。
ケース３２が回転ブラシ３１とエアフィルタ２３との相対移動が反転される左端位置に来たときに、図８に示すように、回転ブラシ３１とエアフィルタ表面との相互間距離を大きくするようにしている。具体的には、図８（ａ）及び（ｃ）に示すように、ラック２２ａの溝２２ｂ及び刃先線２２ｃが寸法Ｄ下方に下がるようにラック２２ａ及び溝２２ｂを変形させている。これにより、ケース３２から突出する突起部３２ａの一方が寸法Ｄ下方に下がるため、回転ブラシ３１とエアフィルタ２３の表面との相互間距離が寸法Ｄ分大きくなる。実施の形態３におけるこのような構成は、「ブラシのエアフィルタへの食い込みを軽減又は解消する手段」の一実施形態を構成する。
【００７８】
以上のように構成された実施の形態３に係るエアフィルタ装置２０は、次のように動作する。
このエアフィルタ装置２０において、掃除ユニット３０は、掃除運転中は実施の形態１の場合と同様に、回転ブラシ３１のエアフィルタ表面への食い込み量を略一定に保持しながら移動する。しかし、掃除ユニット３０がエアフィルタ２３の左端位置に達して反転するときは、図８（ａ）及び（ｃ）に示すように、ラック２２ａの刃先線２２ｃ及び溝２２ｂが下方に寸法Ｄ下げられるので、回転ブラシ３１とエアフィルタ２３の表面との相互間距離が寸法Ｄ分大きくなる。したがって、この実施の形態の場合は、掃除ユニット３０の移動方向反転時に、実施の形態１のようにエアフィルタ２３の左方の外周枠２４の幅を大きくする必要がない。この場合は、回転ブラシ３１とエアフィルタ２３の表面との相互間距離を大きくすることにより、エアフィルタ２３の表面に食い込む回転ブラシ３１の毛部材３１ｂの食い込み寸法を浅くしたり、食い込みを無くしたりすることができる。また、これにより回転ブラシ３１とエアフィルタ２３との間に発生する摩擦抵抗を小さくしたり、解消したりすることができる。
【００７９】
実施の形態３に係るエアフィルタ装置は、以上のように構成されているので、実施の形態１における（１）〜（３）及び（５）の効果に加え、次の効果を奏することができる。なお、実施の形態３に係る電子機器は実施の形態１の場合と同様の効果を奏することができる。
【００８０】
（８）回転ブラシ３１とエアフィルタ２３との相対移動が反転される位置において、エアフィルタ２３と直角の方向における回転ブラシ３１とエアフィルタ２３の表面との相互間距離を大きくしているので、エアフィルタ２３の濾過材２６に食い込む毛部材３１ｂの食い込み寸法や食い込み本数が減少する。したがって、回転ブラシ３１とエアフィルタ２３との間に発生する摩擦抵抗を小さくしたり、解消したりすることができる。
【００８１】
（実施の形態４）
次に、実施の形態４に係る電子機器としての投写型映像表示装置について、図９に基づき説明する。なお、実施の形態１と同一の要素に関し、図面に記載されている部分には同一の符号を付す。また、実施の形態４として図面を示していない要素について、実施の形態１と同一の符号を使用して説明する場合は、この同一の符号を付したものは実施の形態１と同一とする。
【００８２】
実施の形態４は、本発明の実施の形態１において、「ブラシとエアフィルタの相対移動が反転されるときに、ブラシのエアフィルタへの食い込みを軽減又は解消する手段」の構成を変更したものである。すなわち、回転ブラシ３１とエアフィルタ２３との相対移動が反転される位置において、回転ブラシ３１の長手方向と同一方向のエアフィルタ２３の寸法を小さくしたものである。
【００８３】
すなわち、この実施の形態においては、回転ブラシ３１の反転位置となるエアフィルタ２３の左方の外周枠２４は、前後方向全体にわたり左右幅方寸法が大きくされたのではなく、前部２４ｂ及び後部２４ｃの幅寸法のみが大きくなるように形成されている。これにより回転ブラシ３１の長手方向と同一方向のエアフィルタ２３の寸法を小さくしている。このように、回転ブラシ３１が反転される位置において、回転ブラシ３１の長手方向と同一方向のエアフィルタ２３の寸法を小さくした構成は、本発明における「ブラシのエアフィルタへの食い込みを軽減又は解消する手段」の一実施形態を構成する。
【００８４】
実施の形態４に係るエアフィルタ装置２０は、次のように動作する。
このエアフィルタ装置２０において、掃除運転中は実施の形態１の場合と同様に、掃除ユニット３０の回転ブラシ３１がエアフィルタ２３の表面に?み込みながら左方向に移動する。そして、エアフィルタ２３の左端位置に達して反転するときは、図９に二点鎖線で示すよう、回転ブラシ３１の前後部分が外周枠２４の前部２４ｂ及び後部２４ｃに接触し、回転ブラシ３１の前後方向の中央部分のみがエアフィルタ２３の濾過材２６に食い込む。したがって、回転ブラシ３１とエアフィルタ２３との相対移動が反転されるときに、エアフィルタ２３の濾過材２６に食い込む回転ブラシ３１の毛部材３１ｂが減少するので、回転ブラシ３１とエアフィルタ２３との間に発生する摩擦抵抗が小さくなる。なお、このように構成すると、外周枠２４の幅寸法の拡大を抑制することにより、エアフィルタ２３の濾過面積の低下を抑制することができる。
【００８５】
実施の形態４に係るエアフィルタ装置２０は、以上のように構成されているので、実施の形態１における（１）〜（３）及び（５）の効果に加え、次の効果を奏することができる。なお、実施の形態４に係る電子機器は実施の形態１の場合と同様の効果を奏することができる。
【００８６】
（９）本実施の形態における「ブラシのエアフィルタへの食い込みを軽減又は解消する手段」は、回転ブラシ３１とエアフィルタ２３との相対移動が反転される位置において、回転ブラシ３１の長手方向と同一方向のエアフィルタ２３の寸法を小さくした構成である。したがって、この実施の形態によれば、回転ブラシ３１とエアフィルタ２３との相対移動が反転されるときに、エアフィルタ２３の濾過材２６に食い込む回転ブラシ３１の毛部材３１ｂの本数が減少するので、回転ブラシ３１とエアフィルタ２３との間に発生する摩擦抵抗を小さくすることができる。
【００８７】
（実施の形態５）
次に、実施の形態５に係る電子機器としての投写型映像表示装置について、図１０に基づき説明する。なお、実施の形態１と同一の要素に関し、図面に記載されている部分には同一の符号を付す。また、実施の形態５として図面を示していない要素について、実施の形態１と同一の符号を使用して説明する場合は、この同一の符号を付したものは実施の形態１と同一とする。
【００８８】
実施の形態５は、実施の形態１において、回転ブラシ３１の反転動作をエアフィルタの分割枠による一区画毎に回転ブラシ３１を反転動作させるようにしたものである。
実施の形態５に係るエアフィルタ装置２０は、実施の形態１に係るエアフィルタ装置２０において、前後方向に延びる分割枠２５の左右方向の幅寸法が大きく形成され、この分割枠２５上で回転ブラシ３１が少ない摩擦抵抗で反転されるように構成されている。また、回転ブラシ３１を、右端の待機位置から左端の反転位置に向けて一挙に移動するのではなく、一分割毎に回転ブラシ３１を複数回往復動作させるように反転させている。この往復動において、回転ブラシ３１は、実施の形態１の場合と同様に、左右方向に移動される場合に強制回転され、エアフィルタ２３に付着している塵埃が除去されるように構成されている。このような構成において、分割枠２５の幅を広くしてこの上で反転させる構成は、本発明における「ブラシのエアフィルタへの食い込みを軽減又は解消する手段」の一実施形態を構成する。
【００８９】
本実施の形態に係るエアフィルタ装置２０は、次のように動作する。
すなわち、回転ブラシ３１は、掃除運転時待機位置から左方向に進むように運転されるが、左右方向の一分割区分毎に複数回往復移動するように制御され、所定回数の往復動作が終了してから、次の分割区分へ進むように構成されている。また、左端の分割区分の掃除運転が終了した場合は、元の待機位置に向けて実施の形態１の場合と同様に帰還するように構成されている。
【００９０】
実施の形態５に係るエアフィルタ装置２０は、以上のように構成されているので、実施の形態１における（１）〜（５）の効果に加え、次の効果を奏することができる。なお、実施の形態５に係る電子機器は実施の形態１の場合と同様の効果を奏することができる。
【００９１】
（１０）本実施の形態によれば、「ブラシのエアフィルタへの食い込みを軽減又は解消する手段」として、回転ブラシ３１とエアフィルタ２３との相対移動が反転される位置において、回転ブラシ３１の毛部材３１ｂの先端部がエアフィルタ２３の分割枠２５に接触するように構成されている。したがって、このような構成により、反転時にエアフィルタ２３の濾過材２６に食い込む毛部材３１ｂの本数が減少し、回転ブラシ３１とエアフィルタ２３との間に発生する摩擦抵抗が小さくなる。
【００９２】
（１１）本実施の形態においては、エアフィルタ２３は、掃除ユニット３０により一分割区分ごとに複数回の掃除運転が行われるので、丁寧な掃除運転を行うことができる。
（実施の形態６）
次に、実施の形態６に係る電子機器としての投写型映像表示装置について、図１１に基づき説明する。
【００９３】
実施の形態６に係るエアフィルタ装置６０は、フィルタユニットとして構成されたものであって、実施の形態１の場合と同様に、投写型映像表示装置の下面に設けられた吸入口に対して、前方からスライド式に取り付けられる。また、エアフィルタ装置６０の基材６１には吸入口に対応する開口部６２が設けられ、この開口部６２に対しエアフィルタ６３が左右方向にスライドするように構成されている。なお、開口部６２の上方には、２次フィルタ６３ａが固定的に設けられている。一方、エアフィルタ６３の下方において、基材６１の左右方向の中央部に回転ブラシ６４が取り付けられている。この回転ブラシ６４は、上下方向に位置調整可能とされている。
【００９４】
このように構成された実施の形態６に係るエアフィルタ装置６０は、掃除運転において次のように動作する。
このエアフィルタ装置６０は、掃除運転しない待機時においては、図１１（ａ）のように、エアフィルタ６３は開口部６２をカバーするように取り付けられるとともに、回転ブラシ６４は下方位置に引き下げられエアフィルタ６３に対し毛部材の先端が食い込まないようにされている。
【００９５】
また、エアフィルタ６３に捕捉された塵埃を除去する掃除運転時においては、図１１（ｂ）に示すように、エアフィルタ６３が左方向に移動するとともに、回転ブラシ６４が上方の位置へ引き上げられ、回転ブラシ６４の毛部材の先端部が移動するエアフィルタ６３に食い込むように構成されている。これにより、エアフィルタ６３が左端位置まで移動した時点で掃除が終了する、このとき、回転ブラシ６４は再度下方位置に引き下げられる。そして、エアフィルタ６３の移動方向が反転され、図１１（ｃ）に示すようにエアフィルタ６３が右方向に移動される。そして右端位置に到達した時点でこのエアフィルタ装置６０の掃除運転が終了する。
【００９６】
実施の形態６に係るエアフィルタ装置６０は、以上のように構成されているので、実施の形態１における（１）及び（２）の効果に加え、次の効果を奏することができる。なお、実施の形態６に係る電子機器は実施の形態１の場合と同様の効果を奏することができる。
【００９７】
（１２）本実施の形態における「ブラシのエアフィルタへの食い込みを軽減又は解消する手段」は、回転ブラシ６４とエアフィルタ６３との相対移動が反転される位置において、回転ブラシ６４をエアフィルタ６３に接触しないようにした構成である。したがって、この実施の形態によれば、回転ブラシ６４とエアフィルタ６３との相対移動が反転されるときに、回転ブラシ６４とエアフィルタ６３との間に発生する摩擦抵抗を解消させることができる。
【００９８】
（１３）また、本実施の形態においては、エアフィルタ６３が元の待機位置へ帰還するときに回転ブラシ６４がエアフィルタ６３に接触しないようにしているので、この場合においても、回転ブラシ６４とエアフィルタ６３との間に発生する摩擦抵抗を解消させることができる。
【００９９】
（変形例）
本発明は、上記実施の形態において以下のように変更することができる。
・前記各実施の形態においては、エアフィルタ２３，６３の塵埃を掻き取るブラシとして回転ブラシ３１，６４が用いられている。しかし、このような回転式でなく洋服ブラシのように同方向に毛部材が立設された状態のブラシとし、この毛部材の先端部をエアフィルタ２３，６３に押し付けることにより、エアフィルタ２３，６３から塵埃を除去するようにしたものとしてもよい。
【０１００】
・実施の形態１〜４において、回転ブラシ３１を左右方向に１往復させることにより掃除運転を終了するようにしているが、これを複数回繰り返すようにして、エアフィルタ６３に付着した塵埃を丁寧に除去するようにしてもよい。
【０１０１】
・また実施の形態１〜４において、歯車機構３４ａをクラッチとし、このクラッチを作動させることにより、回転ブラシ３１を右方向に移動させるときに強制回転させないようにしてもよい。
【０１０２】
・また、実施の形態６においては、エアフィルタ６３を左右方向に１回往復動させているが、これを複数回往復動させることにより、エアフィルタ６３に付着した塵埃を丁寧に除去することができる。
【０１０３】
・また、実施の形態６において、エアフィルタ６３を右方向に移動させる工程において、回転ブラシ６４の位置を下げずにエアフィルタ６３に密着させて強制回転さて、エアフィルタ６３の左右方向への移動時に塵埃を除去するようにしてもよい。
【０１０４】
・また、実施の形態１〜４においては、待機位置はエアフィルタ２３の右側の位置、反転位置はエアフィルタ２３の左端位置とされているが、両位置を待機位置とし、左方向への移動時及び右方向への移動時何れにおいても塵埃を除去できるようにしてもよい。ただしこの場合において左側に設ける待機位置は、掃除ユニット３０が機外空気吸入時の流通抵抗を大きくしないようにすることが必要である。
【０１０５】
・また、実施の形態１及び４において、回転ブラシ３１が反転位置において接触する部材がエアフィルタ２３の外周枠２４とされているが、エアフィルタ２３の外周枠２４の外側に位置する基材２２の表面に接触させるようにしてもよい。この基材２２の表面は、本発明にいうフィルタ取付部材である。
【０１０６】
・また、実施の形態１〜４においては、回転ブラシ３１によりエアフィルタ２３の掃除をしている最中に電源の切断や停電等により掃除運転が途中で停止され、その後に給電が復活し掃除運転が再開される場合に、掃除運転をどのように再開させるかについて言及していない。しかし、掃除運転の再開は、掃除運転が停止前の動作を継続させる方法により行うのが好ましい。何故ならば、この方法を選択すると、他の方法として考えられる、停止前の掃除運転を初めから行うように回転ブラシ３１を停止前の動作の逆方向に回転及び移動させる方法を選択する場合よりも、回転ブラシ３１の起動負荷を小さくすることができるからである。その理由を図１２に基づきさらに詳しく説明する。
【０１０７】
図１２（ａ）は、停止直前の回転ブラシ３１の状態を示す。この図に示すように回転ブラシ３１は、反時計方向Ｒ１に回転させながら左方向Ｄ１へ移動する掃除運転を行っている。したがって、回転ブラシ３１の毛部材３１ｂは、停止時にはこの状態で掃除運転停止されており、一部が濾過材２６の孔部に食い込み、他の一部は濾過材２６の表面部に反り返るように接触している。このとき濾過材２６に接触する毛部材３１ｂの反りの方向は大小を別にすると一様に右周りに湾曲している。このような状態から掃除運転が再開される場合の回転ブラシ３１の起動負荷は、回転ブラシ３１の起動時の移動方向及び回転方向の相違に影響される。このように起動負荷に影響が現れるのは、起動時に毛部材３１ｂの反りの方向が変更されずに立ち上がるか、反転されて立ち上げるかの差があるからである。
【０１０８】
濾過材２６に接触する全ての毛部材３１ｂは、停止前の動作を継続させるように掃除運転を再開させる場合には、反りの方向をそのままとして回転ブラシ３１が起動される。これに対し、回転ブラシ３１を停止前の動作の逆方向に回転及び移動させるように掃除運転を再開する場合には、濾過材２６に接触する全ての毛部材３１ｂは、反りの方向が反転されて回転ブラシ３１が起動されることになる。このため、毛部材の反りの反転による抵抗が増加し、その分回転ブラシ３１の起動時の負荷が増加する。
【０１０９】
その中でも、濾過材２６の表面部に押し付けられて曲がっている毛部材３１ｂについて見てみると、掃除運転再開時の動作による差が顕著に現れる。
この状態の毛部材３１ｂは、停止前の動作を継続させるように掃除運転を再開させる場合には、図１２（ｂ）に示すように反りの方向をそのままとして、実線図示状態の毛部材３１ｂが左方向Ｄ１へ移動するとともにその先端部が反時計方向Ｒ１に回転し、同図の破線図示の毛部材３１ｂのようになる。したがって、毛部材３１ｂを濾過材２６の表面部に押し付ける力は、この移動及び回転に伴い弱くなる。
【０１１０】
これに対し、回転ブラシ３１を停止前の動作の逆方向に回転及び移動させるように掃除運転を再開する場合には、図１２（ｃ）に示すように毛部材３１ｂが濾過材２６の表面に接触している間はその方向を変更することができない。このため、実線図示の毛部材３１ｂが右方向Ｄ２の方へ移動するとともにその先端部が時計方向Ｒ２に回転するが、同図の破線図示状態のように濾過材２６の孔部に差し込まれるようになる。したがって、毛部材３１ｂが濾過材２６の孔部に差し込まれるまでは、回転ブラシ３１の移動及び回転に伴い毛部材３１ｂを濾過材２６の表面部に押し付ける力が強くなる。このようにして回転ブラシ３１の起動負荷が前記もう一方の方法の場合より大きくなる。
【０１１１】
以上のようなことから、この変形例においては、停止により一次掃除運転が停止され、給電復帰により掃除運転が再開される場合の方法として、回転ブラシ３１の回転方向や移動方向を停止前の状態を継続するように行っている。
【符号の説明】
【０１１２】
Ｄ…寸法、２０，６０…エアフィルタ装置、２２，６１…基材、２３，６３…エアフィルタ、２４…外周枠、２５…分割枠、２８，２９…空間部、３１，６４…回転ブラシ、３１ｂ…毛部材。
【図１】
2012128280.tif 000003
【図２】
2012128280.tif 000004
【図３】
2012128280.tif 000005
【図４】
2012128280.tif 000006
【図５】
2012128280.tif 000007
【図６】
2012128280.tif 000008
【図７】
2012128280.tif 000009
【図８】
2012128280.tif 000010
【図９】
2012128280.tif 000011
【図１０】
2012128280.tif 000012
【図１１】
2012128280.tif 000013
【図１２】
2012128280.tif 000014